(57)【特許請求の範囲】
【請求項１】
生体に接触される一対の導子と操作される操作部とを有する生体刺激装置の作動方法であって、
生体刺激装置が、操作部の操作に基づいて、眼瞼筋、頬骨筋、前頭筋、及び側頭筋の少なくとも１つの上に配置された一対の導子に、電圧を印加する前工程と、
生体刺激装置が、操作部の操作に基づいて、少なくとも一方が前工程と同じ筋肉の上に配置された一対の導子に、電圧を印加する後工程と、を含み、
後工程の電圧及び周波数の少なくとも一方の値は、前工程の値よりも、大きく、
前工程においては、互いに接近するように配置されて且つ筋肉の上をスライドされた一対の導子に、電圧を印加し、
後工程においては、互いに離れるように配置されて且つ筋肉の上で停止された一対の導子に、電圧を印加する、生体刺激装置の作動方法。
【請求項２】
一対の導子は、陽極導子及び陰極導子を備え、
後工程においては、陽極導子が陰極導子よりも頭部の後方側に配置された一対の導子に、電圧を印加する、請求項１に記載の生体刺激装置の作動方法。
【請求項３】
一対の導子は、陽極導子及び陰極導子を備え、
後工程においては、陽極導子が陰極導子よりも頭部の前方側に配置された一対の導子に、電圧を印加する、請求項１に記載の生体刺激装置の作動方法。
【発明の詳細な説明】
【技術分野】
【０００１】
本発明は、生体に電気的刺激を与える生体刺激装置の作動方法に関する。
【背景技術】
【０００２】
従来、生体刺激装置として、一対の導子を有して該各導子から生体に電気的刺激を与える生体刺激装置が、知られている（例えば、特許文献１）。ところで、特許文献１に係る生体刺激装置を用いて、眼瞼筋、頬骨筋、又は前頭筋等に電気的刺激を与えても、例えば、むくみや眼の疲労がとれずに、その効果が不充分であった。
【先行技術文献】
【特許文献】
【０００３】
【特許文献１】特開平１０−２９５８２６号公報
【発明の概要】
【発明が解決しようとする課題】
【０００４】
よって、本発明は、斯かる事情に鑑み、充分な効果が得られる生体刺激装置の作動方法を提供することを課題とする。
【課題を解決するための手段】
【０００５】
本発明に係る生体刺激装置の作動方法は、生体に接触される一対の導子と操作される操作部とを有する生体刺激装置の作動方法であって、生体刺激装置が、操作部の操作に基づいて、眼瞼筋、頬骨筋、前頭筋、及び側頭筋の少なくとも１つの上に配置された一対の導子に、電圧を印加する前工程と、生体刺激装置が、操作部の操作に基づいて、少なくとも一方が前工程と同じ筋肉の上に配置された一対の導子に、電圧を印加する後工程と、を含み、後工程の電圧及び周波数の少なくとも一方の値は、前工程の値よりも、大きい。
【０００６】
また、本発明に係る生体刺激装置の作動方法においては、前工程においては、互いに接近するように配置された一対の導子に、電圧を印加し、後工程においては、前工程よりも互いに離れるように配置された一対の導子に、電圧を印加する、という方法でもよい。
【０００７】
また、本発明に係る生体刺激装置の作動方法においては、一対の導子は、陽極導子及び陰極導子を備え、後工程においては、陽極導子が陰極導子よりも頭部の後方側に配置された一対の導子に、電圧を印加する、という方法でもよい。
【０００８】
また、本発明に係る生体刺激装置の作動方法においては、一対の導子は、陽極導子及び陰極導子を備え、後工程においては、陽極導子が陰極導子よりも頭部の前方側に配置された一対の導子に、電圧を印加する、という方法でもよい。
【発明の効果】
【０００９】
以上の如く、本発明に係る生体刺激装置の作動方法は、充分な効果が得られるという優れた効果を奏する。
【図面の簡単な説明】
【００１０】
【図１】図１は、本発明に用いられる生体刺激装置の全体概要図である。
【図２】図２は、人体の頭部を側方から見た図である。
【図３】図３は、人体の頭部を斜め後方から見た図である。
【図４】図４は、人体の頭部を後方から見た図である。
【図５】図５は、本発明の一実施形態に係る方法において電気的刺激を与える位置を説明する図であって、頭部を側方から見た図である。
【図６】図６は、同実施形態に係る方法において電気的刺激を与える位置を説明する図であって、頭部を側方から見た図である。
【図７】図７は、同実施形態に係る方法において電気的刺激を与える位置を説明する図であって、頭部を側方から見た図である。
【図８】図８は、本発明の他の実施形態に係る方法において電気的刺激を与える位置を説明する図であって、頭部を側方から見た図である。
【図９】図９は、同実施形態に係る方法において電気的刺激を与える位置を説明する図であって、頭部を側方から見た図である。
【図１０】図１０は、本発明のさらに他の実施形態に係る方法において電気的刺激を与える位置を説明する図であって、頭部を側方から見た図である。
【図１１】図１１は、同実施形態に係る方法において電気的刺激を与える位置を説明する図であって、頭部を側方から見た図である。
【図１２】図１２は、同実施形態に係る方法において電気的刺激を与える位置を説明する図であって、頭部を側方から見た図である。
【図１３】図１３は、同実施形態に係る方法において電気的刺激を与える位置を説明する図であって、頭部を側方から見た図である。
【図１４】図１４は、本発明のさらに他の実施形態に係る方法において電気的刺激を与える位置を説明する図であって、頭部を側方から見た図である。
【図１５】図１５は、同実施形態に係る方法において電気的刺激を与える位置を説明する図であって、頭部を斜め後方から見た図である。
【図１６】図１６は、同実施形態に係る方法において電気的刺激を与える位置を説明する図であって、頭部を後方から見た図である。
【図１７】図１７は、同実施形態に係る方法において電気的刺激を与える位置を説明する図であって、頭部を斜め後方から見た図である。
【図１８】図１８は、本発明のさらに他の実施形態に係る方法において電気的刺激を与える位置を説明する図であって、頭部を斜め後方から見た図である。
【図１９】図１９は、同実施形態に係る方法において電気的刺激を与える位置を説明する図であって、頭部を斜め後方から見た図である。
【図２０】図２０は、本発明のさらに他の実施形態に係る方法において電気的刺激を与える位置を説明する図であって、頭部を後方から見た図である。
【図２１】図２１は、同実施形態に係る方法において電気的刺激を与える位置を説明する図であって、頭部を後方から見た図である。
【図２２】図２２は、本発明に係る実施例と比較例との評価表である。
【発明を実施するための形態】
【００１１】
まず、本発明に係る生体刺激装置を用いる方法を説明するのに先立って、本発明に用いられる生体刺激装置の一実施形態について、図１を参酌して説明する。
【００１２】
図１に示すように、生体刺激装置１は、所定の周波数及び電圧であるパルスを発生する装置本体２と、装置本体２で発生したパルスを電気的刺激として生体に与えるべく、生体に接触される複数の導子３，３と、装置本体２と各導子３とを電気的に接続する接続線４，４とを備えている。本実施形態においては、生体刺激装置１は、所謂、低周波治療器と呼ばれるものであって、周波数が０．１〜１０００Ｈｚの電気的刺激パルスを人体に与える装置である。
【００１３】
装置本体２は、導子３により人体に与える電気的刺激の度合を変更するために操作される操作部５と、操作部５の操作に基づいて、導子３により人体に与える電気的刺激の度合を制御する制御部６とを備えている。なお、図示していないが、装置本体２は、直流電源（電池等）又は交流電源（コンセント等）から電力を供給する電力供給部、制御内容（プログラム等）を記憶する記憶部、情報を画面や音声で出力する出力部等を備えている。
【００１４】
操作部５は、電気的刺激の電圧を変更するために操作される電圧操作部５ａと、電気的刺激の周波数を変更するために操作される周波数操作部５ｂとを備えている。したがって、電圧操作部５ａを操作することにより、導子３，３間に発生する電気パルスの電圧が変更でき、また、周波数操作部５ｂを操作することにより、導子３，３間に発生する電気パルスの周波数が変更できる。
【００１５】
導子３は、本実施形態において、二つ備えられている。そして、二つの導子３，３は、陽極導子３ａと陰極導子３ｂとを備えている。即ち、本実施形態における生体刺激装置１は、導子３の電極が固定されている電極固定式である。また、各導子３は、棒状に形成されたスティック型である。なお、導子３は、スティック型であることに限られず、粘着型等であってもよい。そして、一対の導子３，３は、先端部が人体に接触されることで、人体を経由して通電し、その結果、人体に電気的刺激を与える。
【００１６】
次に、本発明に係る生体刺激装置１を用いる方法を説明する際に主に用いる筋肉等について、図２〜図４を参酌して説明する。なお、各図（図５〜図２１も同様）において、図面の寸法比と実際の寸法比とは、必ずしも一致していない。
【００１７】
人体の頭部には、眼瞼筋１１、頬骨筋１２、後頭前頭筋１３、及び側頭筋１４等がある。そして、人体の頸部には、胸鎖乳突筋１５、僧帽筋１６等がある。
【００１８】
眼瞼筋１１は、眼輪筋１１ａ及び皺眉筋１１ｂからなる。眼輪筋１１ａは、眼瞼部、眼下部、涙嚢部、及び眉毛下制筋から起始し、外側眼瞼靭帯、内側眼瞼靭帯、及び眉の皮膚に停止しており、眼の周りに配置されている。皺眉筋１１ｂは、前頭骨の眉部から起始し、眉の中央から内側にかけての皮膚に停止しており、眉の辺りに配置されている。
【００１９】
頬骨筋１２は、小頬骨筋１２ａ及び大頬骨筋１２ｂからなり、頬の辺りに配置されている。小頬骨筋１２ａは、頬骨の大頬骨筋起始から前方及び内側方の位置から起始し、鼻唇溝の近くの上唇の皮膚に停止している。大頬骨筋１２ｂは、頬骨弓中央部外面及び頬骨側頭縫合付近から起始し、口角、上唇、及び下唇に停止している。
【００２０】
後頭前頭筋１３は、前頭筋１３ａ、帽状腱膜１３ｂ、及び後頭筋１３ｃからなる。前頭筋１３ａは、鼻根、内眼角、及び眉間の皮膚から起始し、帽状腱膜１３ｂに停止しており、額の辺りに配置されている。帽状腱膜１３ｂは、前頭筋１３ａから起始し、後頭筋１３ｃに停止しており、頂頭部の辺りに配置されている。後頭筋１３ｃは、後頭骨の上項線及び最上項線から起始し、帽状腱膜１３ｂに停止しており、後頭部の辺りに配置されている。
【００２１】
側頭筋１４は、側頭鱗及び側頭筋膜深葉内面から起始し、下顎骨筋突起に停止しており、側頭部の辺りに配置されている。胸鎖乳突筋１５は、後頭骨上項線等に停止し、頸部の辺りに配置されている。僧帽筋１６は、後頭骨上項線等から起始し、該上部は、頸部の辺りに配置されている。
【００２２】
＜頭部への第１の方法＞
以下、本発明に係る生体刺激装置１を用いる方法における第１の実施形態について、図５〜図７を参酌して説明する。なお、半身（左側）についてのみ説明するが、全身（右側及び左側の両方）に対して行ってもよいことは勿論である（以下の全ての方法においても同様）。
【００２３】
本実施形態に係る方法は、所定の電圧及び周波数で電気的刺激を与える前工程と、前工程で電気的刺激を与えた部分に、電圧及び周波数の値が前工程の値よりも大きい電気的刺激を与える後工程と、を備えている。なお、電圧又は周波数の値が何れか一方のみ大きくてもよい。
【００２４】
これにより、前工程で弱い電気的刺激を与えることにより、硬くなった筋肉を動かさせて（拡縮させて）柔らかくした後に、後工程で強い電気的刺激を与えることにより、筋肉の拡縮によるポンプ作用の効果が大きくなる。したがって、むくみや眼の疲労の原因である物質を含む体液を効率的に除去できる。
【００２５】
前工程においては、導子３を人体に接触させることにより、眼瞼筋１１、頬骨筋１２、前頭筋１３ａに電気的刺激を与える。図５は、前工程で電気的刺激を与える部分を斜線部で示している。前工程においては、陽極導子３ａが電気的刺激を与える部分と陰極導子３ｂが電気的刺激を与える部分とが接近するように、陽極導子３ａと陰極導子３ｂとを互いに接近させて、人体に接触させる。
【００２６】
前工程において、電気的刺激を与える部分は、以下の通りである。なお、前工程においては、導子３で人体を軽く押しつつ、ゆっくりスライドさせて、人体に電気的刺激を与える。
１．眼輪筋１１ａの下方部（図５のＡ１領域）
２．小頬骨筋１２ａの部分（図５のＡ２領域）
３．前頭筋１３ａの下方部で側頭筋１４との境目部（図５のＡ３領域）
４．眼輪筋１１ａの上方部で且つ内方部（図５のＡ４領域）
５．皺眉筋１１ｂの内方部〜前頭筋１３ａの左右方向中央部（図５のＡ５領域）
６．前頭筋１３ａの上方部（図５のＡ６領域）
７．前頭筋１３ａの外方部（図５のＡ７領域）
８．前頭筋１３ａの下方部（図５のＡ８領域）
９．眼輪筋１１ａの上方部且つ外方部（図５のＡ９領域）
【００２７】
後工程においては、操作部５を操作することにより、周波数及び電圧の値を前工程の値よりも大きくした後、導子３を人体に接触させることにより、前頭筋１３ａに電気的刺激を与える。図６及び図７は、後工程で電気的刺激を与える部分を示している。具体的には、黒丸（●）は、陽極導子３ａが電気的刺激を与える部分を示し、白丸（○）は、陰極導子３ｂが電気的刺激を与える部分を示している（図９、図１１〜図１３、図１５〜図１７、図１９、及び図２１も同様）。
【００２８】
後工程においては、陽極導子３ａが電気的刺激を与える部分が、陰極導子３ｂが電気的刺激を与える部分よりも頭部の後方側の部分となるように、陽極導子３ａと陰極導子３ｂとを離して人体に接触させる。これにより、筋肉の拡縮によるポンプ作用で体液が移動する方向は、頭部の後方側に向けて促進される。したがって、むくみや眼の疲労の原因である物質を含む体液を効率的に除去できる。
【００２９】
後工程において、ステップ１〜ステップ４により、電気的刺激を与える部分は、以下の通りである。後工程においては、導子３で人体を軽く押した状態で所定時間（例えば２０秒〜６０秒）だけ停止させて、人体に電気的刺激を与える。
【００３０】
図６に示すように、ステップ１〜ステップ３において、電気的刺激を与える部分は、以下の通りである。
（ステップ１）
・陽極：前頭筋１３ａの上方部で且つ外方部Ｂ１（固定）
・陰極：前頭筋１３ａの下方部で且つ外方部Ｂ４から、内方へ各部Ｂ５，Ｂ６（各部で停止）
（ステップ２）
・陽極：前頭筋１３ａの上方部で且つ内方寄り部Ｂ２（固定）
・陰極：前頭筋１３ａの下方部で且つ外方部Ｂ４から、内方へ各部Ｂ５，Ｂ６（各部で停止）
（ステップ３）
・陽極：前頭筋１３ａの上方部で且つ左右方向中央部Ｂ３（固定）
・陰極：前頭筋１３ａの下方部で且つ外方部Ｂ４から、内方へ各部Ｂ５，Ｂ６（各部で停止）
【００３１】
このように、ステップ１〜ステップ３においては、陰極導子３ｂが電気的刺激を与える部分は、前頭筋１３ａの下方部である。それに対して、陽極導子３ａが電気的刺激を与える部分は、前頭筋１３ａの上方部であり、陰極導子３ｂが電気的刺激を与える部分よりも頭部の後方側である。これにより、眼瞼筋１１、前頭筋１３ａの下方部等にある体液は、頭部の後方側に向けて、即ち、前頭筋１３ａの上方部、帽状腱膜１３ｂ等に向けて移動し易くなる。
【００３２】
図７に示すように、ステップ４において、電気的刺激を与える部分は、以下の通りである。
（ステップ４）
・陽極：前頭筋１３ａの外方部で且つ下方部Ｃ１から、上方へ各部Ｃ２，Ｃ３（各部で停止）
・陰極：前頭筋１３ａの左右方向中央部で且つ下方部Ｃ４から、上方へ各部Ｃ５，Ｃ６（各部で停止）
【００３３】
このように、ステップ４においては、陰極導子３ｂが電気的刺激を与える部分は、前頭筋１３ａの左右方向中央部である。それに対して、陽極導子３ａが電気的刺激を与える部分は、前頭筋１３ａの外方部であり、陰極導子３ｂが電気的刺激を与える部分よりも頭部の後方側である。これにより、眼瞼筋１１、前頭筋１３ａの左右方向中央部等にある体液は、頭部の後方側に向けて、即ち、前頭筋１３ａの外方部、側頭筋１４等に向けて移動し易くなる。
【００３４】
以上より、本実施形態に係る方法によれば、前工程において、眼瞼筋１１、頬骨筋１２、及び前頭筋１３ａに電気的刺激を与えている。そして、後工程において、前工程で電気的刺激を与えた部分１１，１２，１３に、電圧及び周波数の値が前工程の値よりも大きい電気的刺激を与えている。
【００３５】
これにより、前工程で弱い電気的刺激を与えることにより、硬くなった筋肉を動かせて（拡縮させて）柔らかくした後に、後工程で強い電気的刺激を与えることにより、筋肉の拡縮によるポンプ作用の効果が大きくなる。したがって、むくみや眼の疲労の原因である物質を含む体液を効率的に除去できるため、充分な疲労回復効果及び美容効果が得られる。
【００３６】
また、本実施形態に係る方法によれば、陽極導子３ａが電気的刺激を与える部分は、陰極導子３ｂが電気的刺激を与える部分よりも頭部の後方側の部分である。これにより、筋肉の拡縮によるポンプ作用で体液が移動する方向は、頭部の後方側に向けて促進される。したがって、むくみや眼の疲労の原因である物質を含む体液を効率的に除去できるため、充分な疲労回復効果及び美容効果が得られる。
【００３７】
なお、斯かる作用については、以下の二つの推論が考えられる。
【００３８】
１つ目は、陽極導子３ａは、陰極導子３ｂに対して、神経を興奮させて、麻痺した神経及び筋肉の働きを活発にさせる作用があると考えられる。これにより、体液は、陰極導子３ｂが電気的刺激を与える部分から、陽極導子３ａが電気的刺激を与える部分に向けて移動し易くなると考えられる。
【００３９】
２つ目は、体液、具体的には、細胞外液のＰＨは、７．４と若干のアルカリ性である。これにより、体液は、陰極導子３ｂが電気的刺激を与える部分から、陽極導子３ａが電気的刺激を与える部分に向けて移動し易くなると考えられる。
【００４０】
＜頭部への第２の方法＞
次に、本発明に係る生体刺激装置１を用いる方法における第２の実施形態について、図８及び図９を参酌して説明する。なお、第２実施形態に係る方法は、上記の第１実施形態に係る方法に対して、電気的刺激を与える部分のみ異なっているため、その点のみ説明し、その他は、殆ど同じであるため、説明しない。
【００４１】
前工程においては、眼輪筋１１ａ、側頭筋１４に電気的刺激を与える。図８は、前工程で電気的刺激を与える部分を斜線部で示しており、以下の通りである。
１．眼輪筋１１ａの下方部（図８のＤ１領域）
２．眼輪筋１１ａの上方部（図８のＤ２領域）
３．側頭筋１４の下方部（図８のＤ３領域）
４．側頭筋１４の上下方向中央部（図８のＤ４領域）
５．側頭筋１４の上方部（図８のＤ５領域）
【００４２】
後工程においては、ステップ１〜ステップ３により、小頬骨筋１２ａ及び側頭筋１４に電気的刺激を与える。図９は、後工程で電気的刺激を与える部分を示しており、以下の通りである。
【００４３】
図９に示すように、ステップ１〜ステップ３において、電気的刺激を与える部分は、以下の通りである。
（ステップ１）
・陽極：側頭筋１４の下方部で且つ前方部Ｅ１から、後方へ各部Ｅ２，Ｅ３（各部で停止）
・陰極：小頬骨筋１２ａの上方部Ｅ１０（固定）
（ステップ２）
・陽極：側頭筋１４の上下方向中央部で且つ前方部Ｅ４から、後方へ各部Ｅ５，Ｅ６（各部で停止）
・陰極：小頬骨筋１２ａの上方部Ｅ１０（固定）
（ステップ３）
・陽極：側頭筋１４の上方部で且つ前方部Ｅ７から、後方へ各部Ｅ８，Ｅ９（各部で停止）
・陰極：小頬骨筋１２ａの上方部Ｅ１０（固定）
【００４４】
このように、ステップ１〜ステップ３においては、陰極導子３ｂが電気的刺激を与える部分は、小頬骨筋１２ａの上方部である。それに対して、陽極導子３ａが電気的刺激を与える部分は、側頭筋１４であり、陰極導子３ｂが電気的刺激を与える部分よりも頭部の後方側である。これにより、眼瞼筋１１、頬骨筋１２側等にある体液は、頭部の後方側に向けて、即ち、側頭筋１４等に向けて移動し易くなる。
【００４５】
＜頭部への第３の方法＞
次に、本発明に係る生体刺激装置１を用いる方法における第３の実施形態について、図１０〜図１３を参酌して説明する。なお、第３実施形態に係る方法は、上記の第１実施形態に係る方法に対して、電気的刺激を与える部分のみ異なっているため、その点のみ説明し、その他は、殆ど同じであるため、説明しない。
【００４６】
前工程においては、皺眉筋１１ｂ、前頭筋１３ａ、後頭筋１３ｃ、側頭筋１４、胸鎖乳突筋１５の上部、及び僧帽筋１６の上部に電気的刺激を与える。図１０は、前工程で電気的刺激を与える部分を斜線部で示しており、以下の通りである。
１．皺眉筋１１ｂの内方部〜前頭筋１３ａの左右方向中央部（図１０のＦ１領域）
２．前頭筋１３ａの上方部（図１０のＦ２領域）
３．前頭筋１３ａの外方部（図１０のＦ３領域）
４．前頭筋１３ａの下方部（図１０のＦ４領域）
５．側頭筋１４の後方部で且つ下方部〜後頭筋１３ｃ〜胸鎖乳突筋１５の上部（図１０のＦ５領域）
６．側頭筋１４の後方部で且つ上下方向中央部〜後頭筋１３ｃ〜胸鎖乳突筋１５の上部と僧帽筋１６の上部との間の部分（図１０のＦ６領域）
７．側頭筋１４の後方部で且つ下方部〜後頭筋１３ｃ〜僧帽筋１６の上部（図１０のＦ７領域）
【００４７】
後工程においては、ステップ１〜ステップ５により、皺眉筋１１ｂ、前頭筋１３ａ、側頭筋１４、胸鎖乳突筋１５の上部、及び僧帽筋１６の上部に電気的刺激を与える。図１１〜図１３は、後工程で電気的刺激を与える部分を示しており、以下の通りである。
【００４８】
図１１に示すように、ステップ１において、電気的刺激を与える部分は、以下の通りである。
（ステップ１）
・陽極：前頭筋１３ａの上方部で且つ外方部Ｇ１（固定）
・陰極：皺眉筋１１ｂの外方部Ｇ２から、後方へ各部Ｇ３（各部で停止）
【００４９】
このように、ステップ１においては、陰極導子３ｂが電気的刺激を与える部分は、皺眉筋１１ｂである。それに対して、陽極導子３ａが電気的刺激を与える部分は、前頭筋１３ａの上方部であり、陰極導子３ｂが電気的刺激を与える部分よりも頭部の後方側である。これにより、眼瞼筋１１、前頭筋１３ａの下方部等にある体液は、頭部の後方側に向けて、即ち、前頭筋１３ａの上方部、帽状腱膜１３ｂ等に向けて移動し易くなる。
【００５０】
図１２に示すように、ステップ２〜４において、電気的刺激を与える部分は、以下の通りである。
（ステップ２）
・陽極：側頭筋１４の下方部で且つ前方部Ｈ１から、後方へ各部Ｈ２，Ｈ３（各部で停止）
・陰極：前頭筋１３ａの上方部で且つ外方部Ｈ１０（固定）
（ステップ３）
・陽極：側頭筋１４の上下方向中央部で且つ前方部Ｈ４から、後方へ各部Ｈ５，Ｈ６（各部で停止）
・陰極：前頭筋１３ａの上方部で且つ外方部Ｈ１０（固定）
（ステップ４）
・陽極：側頭筋１４の上方部で且つ前方部Ｈ７から、後方へ各部Ｈ８，Ｈ９（各部で停止）
・陰極：前頭筋１３ａの上方部で且つ外方部Ｈ１０（固定）
【００５１】
このように、ステップ２〜ステップ４においては、陰極導子３ｂが電気的刺激を与える部分は、前頭筋１３ａの上方部である。それに対して、陽極導子３ａが電気的刺激を与える部分は、側頭筋１４であり、陰極導子３ｂが電気的刺激を与える部分よりも頭部の後方側である。これにより、前頭筋１３ａ等にある体液は、頭部の後方側に向けて、即ち、側頭筋１４等に向けて移動し易くなる。
【００５２】
図１３に示すように、ステップ５において、電気的刺激を与える部分は、以下の通りである。
（ステップ５）
・陽極：胸鎖乳突筋１５の上端部Ｊ１から、僧帽筋１６へ各部Ｊ２，Ｊ３（各部で停止）
・陰極：前頭筋１３ａの上方部で且つ外方部Ｊ４（固定）
【００５３】
このように、ステップ５においては、陰極導子３ｂが電気的刺激を与える部分は、前頭筋１３ａの上部である。それに対して、陽極導子３ａが電気的刺激を与える部分は、胸鎖乳突筋１５の上部及び僧帽筋１６の上部であり、陰極導子３ｂが電気的刺激を与える部分よりも頭部の後方側（頸部）である。これにより、前頭筋１３ａ及び側頭筋１４等にある体液は、頭部の後方側（頸部）に向けて、即ち、胸鎖乳突筋１５の上部及び僧帽筋１６の上部等に向けて移動し易くなる。なお、ステップ５の後に、再度、上記ステップ１を行ってもよい。
【００５４】
＜頭部への第４の方法＞
次に、本発明に係る生体刺激装置１を用いる方法における第４の実施形態について、図１４〜図１７を参酌して説明する。なお、第４実施形態に係る方法は、上記の第１実施形態に係る方法に対して、電気的刺激を与える部分のみ異なっているため、その点のみ説明し、その他は、殆ど同じであるため、説明しない。
【００５５】
前工程においては、前頭筋１３ａ、帽状腱膜１３ｂ、後頭筋１３ｃ、胸鎖乳突筋１５の上部、及び僧帽筋１６の上部に電気的刺激を与える。図１４は、前工程で電気的刺激を与える部分を斜線部で示しており、以下の通りである。
１．前頭筋１３ａの外方部（図１４のＫ１領域）
２．前頭筋１３ａの内方寄り部（図１４のＫ２領域）
３．前頭筋１３ａの左右方向中央部（図１４のＫ３領域）
４．帽状腱膜１３ｂの前方部で且つ外方部（図１４のＫ４領域）
５．帽状腱膜１３ｂの前方部で且つ内方寄り部（図１４のＫ５領域）
６．帽状腱膜１３ｂの前方部で且つ左右方向中央部（図１４のＫ６領域）
７．帽状腱膜１３ｂの後方部で且つ外方部〜後頭筋１３ｃ〜胸鎖乳突筋１５の上部（図１４のＫ７領域）
８．帽状腱膜１３ｂの後方部で且つ内方寄り部〜後頭筋１３ｃ〜胸鎖乳突筋１５の上部と僧帽筋１６の上部との間の部分（図１４のＫ８領域）
９．帽状腱膜１３ｂの後方部で且つ左右方向中央部〜後頭筋１３ｃ〜僧帽筋１６の上部（図１４のＫ９領域）
【００５６】
後工程においては、ステップ１〜ステップ３により、前頭筋１３ａ、帽状腱膜１３ｂ、及び僧帽筋１６の上部に電気的刺激を与える。図１５〜図１７は、後工程で電気的刺激を与える部分を示しており、以下の通りである。
【００５７】
図１５に示すように、ステップ１において、電気的刺激を与える部分は、以下の通りである。
（ステップ１）
・陽極：帽状腱膜１３ｂの前後方向中央部で且つ外方部Ｌ１から、内方へ各部Ｌ２，Ｌ３（各部で停止）
・陰極：前頭筋１３ａの上方部で且つ外方部Ｌ４から、内方へ各部Ｌ５，Ｌ６（各部で停止）
【００５８】
このように、ステップ１においては、陰極導子３ｂが電気的刺激を与える部分は、前頭筋１３ａの上方部である。それに対して、陽極導子３ａが電気的刺激を与える部分は、帽状腱膜１３ｂの前後方向中央部であり、陰極導子３ｂが電気的刺激を与える部分よりも頭部の後方側である。これにより、前頭筋１３ａにある体液は、頭部の後方側に向けて、即ち、帽状腱膜１３ｂ等に向けて移動し易くなる。
【００５９】
図１６に示すように、ステップ２において、電気的刺激を与える部分は、以下の通りである。
（ステップ２）
・陽極：僧帽筋１６の上端部Ｍ１（固定）
・陰極：帽状腱膜１３ｂの前後方向中央部で且つ外方部Ｍ２から、内方へ各部Ｍ３，Ｍ４（各部で停止）
【００６０】
このように、ステップ２においては、陰極導子３ｂが電気的刺激を与える部分は、帽状腱膜１３ｂの前後方向中央部である。それに対して、陽極導子３ａが電気的刺激を与える部分は、僧帽筋１６の上端部であり、陰極導子３ｂが電気的刺激を与える部分よりも頭部の後方側（頸部）である。これにより、帽状腱膜１３ｂにある体液は、頭部の後方側（頸部）に向けて、即ち、胸鎖乳突筋１５の上部、僧帽筋１６の上部等に向けて移動し易くなる。
【００６１】
図１７に示すように、ステップ３において、電気的刺激を与える部分は、以下の通りである。
（ステップ３）
・陽極：僧帽筋１６の上端部Ｎ１（固定）
・陰極：前頭筋１３ａの上方部で且つ外方部Ｎ２から、内方へ各部Ｎ３，Ｎ４（各部で停止）
【００６２】
このように、ステップ３においては、陰極導子３ｂが電気的刺激を与える部分は、前頭筋１３ａの上方部である。それに対して、陽極導子３ａが電気的刺激を与える部分は、僧帽筋１６の上端部であり、陰極導子３ｂが電気的刺激を与える部分よりも頭部の後方側（頸部）である。これにより、前頭筋１３ａ、帽状腱膜１３ｂにある体液は、頭部の後方側（頸部）に向けて、即ち、後頭筋１３ｃ、胸鎖乳突筋１５の上部、僧帽筋１６の上部等に向けて移動し易くなる。
【００６３】
ところで、頭部への第１〜第４の方法を行うことで、むくみや眼の疲労の原因である物質を含む体液は、頭部の後方側に移動している。そこで、それらの体液を体外に排出させるためには、人体の後方側に配置されている大きな筋肉（例えば、胸鎖乳突筋１５や僧帽筋１６等）で体液を人体の中心部に向けて確実に移動させることが好ましい。したがって、斯かる体液の移動を促進させるために、上記の頭部への方法を行った後に、以下の頸部への方法を行うことが好ましい。
【００６４】
＜頸部への第１の方法＞
頸部への第１の方法について、図１８及び図１９を参酌して説明する。なお、頸部への第１の方法は、上記の頭部への第１の方法に対して、電気的刺激を与える部分のみ異なっているため、その点のみ説明し、その他は、殆ど同じであるため、説明しない。
【００６５】
前工程においては、胸鎖乳突筋１５の上部、及び僧帽筋１６の上部に電気的刺激を与える。図１８は、前工程で電気的刺激を与える部分を斜線部で示しており、以下の通りである。
１．胸鎖乳突筋１５の上部〜僧帽筋１６の上部（図１８のＰ１領域）
【００６６】
後工程においては、ステップ１により、胸鎖乳突筋１５の上部、及び僧帽筋１６の上部に電気的刺激を与える。図１９は、後工程で電気的刺激を与える部分を示しており、以下の通りである。
【００６７】
図１９に示すように、ステップ１において、電気的刺激を与える部分は、以下の通りである。
（ステップ１）
・陽極：胸鎖乳突筋１５の上端部から少し下方部Ｑ１から、僧帽筋１６の上端部から少し下方部に至るまで内方へ各部Ｑ２，Ｑ３，Ｑ４，Ｑ５（各部で停止）
・陰極：胸鎖乳突筋１５の上端部と僧帽筋１６の上端部との間の部分Ｑ６（固定）
【００６８】
このように、ステップ１においては、陽極導子３ａが電気的刺激を与える部分は、陰極導子３ｂが電気的刺激を与える部分よりも人体の下方側である。これにより、頭部への方法により頸部に移動した体液は、人体の下方側に向けて、即ち、人体の中心部等に向けて移動し易くなる。したがって、むくみや眼の疲労の原因である物質を含む体液は、体外に排出され易くなる。
【００６９】
＜頸部への第２の方法＞
頸部への第２の方法について、図２０及び図２１を参酌して説明する。なお、頸部への第２の方法は、上記の頭部への第１の方法に対して、電気的刺激を与える部分のみ異なっているため、その点のみ説明し、その他は、殆ど同じであるため、説明しない。
【００７０】
前工程においては、帽状腱膜１３ｂ、後頭筋１３ｃ、側頭筋１４、胸鎖乳突筋１５の上部、及び僧帽筋１６の上部に電気的刺激を与える。図２０は、前工程で電気的刺激を与える部分を斜線部で示しており、以下の通りである。なお、Ｒ３〜Ｒ５は、理解しやすいように、右半身に図示している。
１．胸鎖乳突筋１５の上部と僧帽筋１６の上部との間の部分〜後頭筋１３ｃ（図２０のＲ１領域）
２．僧帽筋１６の上部〜後頭筋１３ｃ（図２０のＲ２領域）
３．胸鎖乳突筋１５の上部〜後頭筋１３ｃ〜側頭筋１４（図２０のＲ３領域）
４．胸鎖乳突筋１５の上部と僧帽筋１６の上部との間の部分〜後頭筋１３ｃ〜側頭筋１４（図２０のＲ４領域）
５．僧帽筋１６の上部との間の部分〜後頭筋１３ｃ〜側頭筋１４（図２０のＲ５領域）
６．僧帽筋１６の上部（図２０のＲ６領域）
７．一対の僧帽筋１６，１６の上部と後頭筋１３ｃとの間の部分（図２０のＲ７領域）
【００７１】
後工程においては、ステップ１〜ステップ３により、胸鎖乳突筋１５の上部、及び僧帽筋１６の上部に電気的刺激を与える。図２１は、後工程で電気的刺激を与える部分を示しており、以下の通りである。
【００７２】
図２１に示すように、ステップ１において、電気的刺激を与える部分は、以下の通りである。
（ステップ１）
・陽極：胸鎖乳突筋１５の上方部と僧帽筋１６の上方部との間の部分Ｓ１から、下方へ各部Ｓ２，Ｓ３（各部で停止）
・陰極：僧帽筋１６の上端部Ｓ１０（固定）
（ステップ２）
・陽極：僧帽筋１６の上方部で且つ外方部Ｓ４から、下方へ各部Ｓ４，Ｓ５（各部で停止）
・陰極：僧帽筋１６の上端部Ｓ１０（固定）
（ステップ３）
・陽極：僧帽筋１６の上方部で且つ内方部Ｓ７から、下方へ各部Ｓ８，Ｓ９（各部で停止）
・陰極：僧帽筋１６の上端部Ｓ１０（固定）
【００７３】
このように、ステップ１〜ステップ３においては、陽極導子３ａが電気的刺激を与える部分は、陰極導子３ｂが電気的刺激を与える部分よりも人体の下方側である。これにより、頭部への方法により頸部に移動した体液は、人体の下方側に向けて、即ち、人体の中心部等に向けて移動し易くなる。したがって、むくみや眼の疲労の原因である物質を含む体液は、体外に排出され易くなる。
【００７４】
なお、本発明に係る方法は、上記した実施形態の構成に限定されるものではなく、また、上記した作用効果に限定されるものではない。また、本発明に係る方法は、本発明の要旨を逸脱しない範囲内において種々変更を加え得ることは勿論である。例えば、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００７５】
例えば、本発明に係る方法おいては、上記頭部への第１〜第４の方法の１つの方法のみ行ってもよく、複数行ってもよい。なお、複数行う場合において、その順番は、どのような順番でもよく、また、全ての前工程を行った後に、全ての後工程を行ってもよい。さらに、頭部への方法の後に、頸部への第１〜第２の方法の１つの方法のみ行ってもよく、複数行ってもよい。
【００７６】
また、本発明に係る方法においては、上記頭部への第１〜第４の方法の場合だけに限られず、例えば、頭部への方法の後工程において、電気的刺激を与える部分は、以下の方法でもよい。
・陽極：眼輪筋１１ａ、陰極：前頭筋１３ａ、側頭筋１４、帽状腱膜１３ｂ、後頭筋１３ｃ、僧帽筋１６の上部、又は胸鎖乳突筋１５の上部
・陽極：皺眉筋１１ｂ、陰極：側頭筋１４、帽状腱膜１３ｂ、後頭筋１３ｃ、僧帽筋１６の上部、又は胸鎖乳突筋１５の上部
・陽極：小頬骨筋１２ａ、陰極：前頭筋１３ａ、帽状腱膜１３ｂ、後頭筋１３ｃ、僧帽筋１６の上部、又は胸鎖乳突筋１５の上部
・陽極：大頬骨筋１２ｂ、陰極：前頭筋１３ａ、側頭筋１４、帽状腱膜１３ｂ、後頭筋１３ｃ、僧帽筋１６の上部、又は胸鎖乳突筋１５の上部
・陽極：前頭筋１３ａ、陰極：後頭筋１３ｃ
要するに、頭部への方法の後工程においては、陽極導子３ａが電気的刺激を与える部分は、陰極導子３ｂが電気的刺激を与える部分よりも頭部の後方側の部分であればよい。
【００７７】
また、本発明に係る第１の方法においては、後工程において、陽極導子３ａが電気的刺激を与える部分は、陰極導子３ｂが電気的刺激を与える部分よりも頭部の前方側の部分でもよい。なお、斯かる方法においては、導子３の電極は、自動的に切り替わる方式、即ち、電極切り替え式を採用してもよい。要するに、本発明に係る第１の方法は、所定の部分に電気的刺激を与える前工程と、前工程で電気的刺激を与えた部分に、電圧及び周波数の少なくとも一方の値が前工程の値よりも大きい電気的刺激を与える後工程と、を備えていればよい。
【００７８】
また、本発明に係る第２の方法は、前工程を行うことなく、後工程のみ行う方法でもよい。要するに、本発明に係る第２の方法は、陰極導子３ｂにより、所定の部分に電気的刺激を与え、陽極導子３ａにより、陰極導子３ｂが電気的刺激を与える部分よりも頭部の後方側の部分に電気的刺激を与えるべく、所定の部分に電気的刺激を与えればよい。
【実施例】
【００７９】
本発明の効果を具体的に示すため、本発明の実施例とその比較例とについて、図２２を参酌して、以下に説明する。
【００８０】
＜美容効果＞
本発明の実施例及び比較例に係る方法をそれぞれ２人に実施した。そして、実施した後、被実施者の官能評価により、目の周りのむくみの解消度（５点満点：最高５点、最低１点）を評価した。被実施者２人の官能評価の平均を指数とし、指数が大きいほど、目の周りのむくみが解消されており、美容効果が優れていることを示す。
（評価基準）
５点：むくみが完全に解消した
４点：むくみが殆ど解消した
３点：むくみがある程度解消した
２点：むくみが少しだけ解消した
１点：むくみが殆ど解消しなかった
【００８１】
＜疲労回復効果＞
本発明の実施例及び比較例に係る方法をそれぞれ２人に実施した。そして、被実施者に対して実施前後に視力検査を行い、視力の回復値（＝「実施後の視力」−「実施前の視力」）に基づいて、目の疲労の回復度を評価した。被実施者２人の片目当たりの視力の回復値の平均を指数とし、指数が大きいほど、目の疲労が回復しており、疲労回復効果が優れていることを示す。
【００８２】
＜実施例１〜３＞
実施例１は、上記第１実施形態に係る方法（頭部への第１の方法）である。
実施例２は、実施例１に対して、後工程において、陽極導子３ａにより電気的刺激を与える部分と陰極導子３ｂにより電気的刺激を与える部分とを反対となるように変更させた方法である。
実施例３は、実施例１に対して、前工程を行わず、後工程のみを行った方法である。
【００８３】
＜比較例＞
比較例は、実施例１に対して、前工程を行わず、後工程のみを行った方法であって、さらに、後工程において、陽極導子３ａにより電気的刺激を与える部分と陰極導子３ｂにより電気的刺激を与える部分とを反対となるように変更させた方法である。
【００８４】
＜評価結果＞
比較例においては、美容効果及び疲労回復効果が得られていない。それに対して、実施例２及び実施例３においては、美容効果が得られており、しかも、実施例１においては、美容効果及び疲労回復効果が非常に充分に得られている。
【符号の説明】
【００８５】
１…生体刺激装置、２…装置本体、３…導子、３ａ…陽極導子、３ｂ…陰極導子、４…接続線、５…操作部、５ａ…電圧操作部、５ｂ…周波数操作部、６…制御部、１１…眼瞼筋、１１ａ…眼輪筋、１１ｂ…皺眉筋、１２…頬骨筋、１２ａ…小頬骨筋、１２ｂ…大頬骨筋、１３…後頭前頭筋、１３ａ…前頭筋、１３ｂ…帽状腱膜、１３ｃ…後頭筋、１４…側頭筋、１５…胸鎖乳突筋、１６…僧帽筋
【図１】
0006315465.tif 000002
【図２】
0006315465.tif 000003
【図３】
0006315465.tif 000004
【図４】
0006315465.tif 000005
【図５】
0006315465.tif 000006
【図６】
0006315465.tif 000007
【図７】
0006315465.tif 000008
【図８】
0006315465.tif 000009
【図９】
0006315465.tif 000010
【図１０】
0006315465.tif 000011
【図１１】
0006315465.tif 000012
【図１２】
0006315465.tif 000013
【図１３】
0006315465.tif 000014
【図１４】
0006315465.tif 000015
【図１５】
0006315465.tif 000016
【図１６】
0006315465.tif 000017
【図１７】
0006315465.tif 000018
【図１８】
0006315465.tif 000019
【図１９】
0006315465.tif 000020
【図２０】
0006315465.tif 000021
【図２１】
0006315465.tif 000022
【図２２】
0006315465.tif 000023